(57)【要約】【課題】  従来ユーザが体重コントロール又はストレスへの耐性調整という目的に適した中食産業企業によるメニューをインターネット上で求めた場合、その結果はユーザ毎の身体的特性、嗜好、地理的条件、環境要因等が十分に考慮されておらず、例えば食物アレルギーで食べれない等、提案メニューが役に立たないことがあった。【解決手段】  ユーザによる登録情報を基に、個々人の目標体重と目標体重達成期間と基礎代謝と食生活パターンの分析に基づいて体重コントロールに適したメニューを選択し、また、バイオリズム及び気象変化によるストレス耐性度の変化及びストレス耐性度別に摂取が適する食材データに基づいてストレス耐性調整用メニューを選択する。更にこれらのメニューは、ユーザのアレルギーの有無、及び過去のアクセスログ分析から決定される食の好み、及びユーザの行動範囲内にある店舗で購入可能であるメニューを絞り込んでカスタマイズして紹介する。【選択図】  図４
2006260508.tif 000002
【特許請求の範囲】
【請求項１】
一般ユーザの現在の体重および生年月日等の個人データと、食物アレルギーの有無と、１日の中での食事量の配分を示す食生活パターンのデータと、ユーザの目標体重および目標体重達成予定日のデータと、運動量等基礎代謝に関するデータ、および住所等が入力されたユーザテーブルを格納するユーザデータベースと、
持ち帰りを中心とした惣菜または弁当またはデザート等を販売する中食産業企業のメニューに関して使用されている食材およびカロリーと、医学文献等を基にして作成される各食材のストレス等の健康への影響に関するデータを格納するメニューテーブル、および中食産業企業の店舗情報を格納する会社データテーブルの２つのデータテーブルを格納する会社データベースと、
ユーザのサイト利用状況を格納するアクセスログデータベースと、
上記ユーザデータベースにユーザが情報を入力するためのユーザインタフェースと、
上記会社データベースに管理者または中食産業企業が情報を格納するための会社インタフェースとを備え、
上記ユーザデータベースにユーザが入力した現在の体重および目標体重および目標体重達成予定日および運動量をきっかけとして、ユーザの基礎代謝および目標体重を目標期間内に達成するために１日にユーザが摂取可能なカロリーを算出し、更にユーザの食生活パターンのデータからユーザが朝食または昼食または夕食等の食事毎にそれぞれ摂取可能なカロリーを算出し、更にこの食事毎の摂取可能カロリー以下のカロリーの中食産業企業のメニューを検索し、更にこの検索結果からユーザのアレルギーの有無およびアクセスデータから判断する食の好みに合致し、かつユーザの住所近辺で購入が可能である中食産業企業のメニューを絞り込んだ上でユーザに提案することのできるインタフェースを備えた中食による体重コントロール支援システム。
【請求項２】
上記ユーザデータベースおよびユーザインタフェースと、
上記会社データベースおよび会社インタフェースと、
上記アクセスログデータベースに加え、
ユーザの住所における天気および気温等の気象データと、生気象学等に基づく気象と人間のストレス耐性の相関性に関するストレス耐性データとを格納する環境データベースと、
上記環境データベースに管理者が気象データおよびストレス耐性データを入力するインタフェースとを備え、
上記ユーザデータベースに入力された生年月日に基づいて算出されるバイオリズムと、上記環境データベースに入力した気象データおよびストレス耐性データを基にして特定の日時と場所におけるユーザのストレス耐性度合を算出し、更にメニューテーブルからこのユーザのストレス耐性度合に適した食材とその食材が使用されているメニューを選択し、更にこのメニュー選択肢から、ユーザのアレルギーの有無およびアクセスデータから判断する食の好みに合致し、かつユーザの住所近辺で購入が可能である中食産業企業のメニューを絞り込んだ上でユーザに提案することのできるインタフェースを備えた中食によるストレス耐性マネジメント支援システム。
【発明の詳細な説明】
【技術分野】
【０００１】  本発明は、ユーザの目標体重と目標体重達成までの期間と基礎代謝と食生活パターンとアレルギーの有無と住所とアクセスログに基づいて、中食産業企業のメニューの中から体重のコントロールを行うのに適したメニューを提案することができる中食による体重コントロール支援システム、およびユーザの住所と気象情報と生気象学等に基づく気象と人間のストレス耐性の相関性に関するデータと医学文献等を基にした食材別のストレス等の健康への影響に関するデータとアレルギーの有無とアクセスログにより中食産業企業のメニューの中からストレス耐性度合の調整を行うのに適したメニューを提案することができる中食によるストレス耐性マネジメント支援システムに関する。
【背景技術】
【０００２】  従来、ユーザが体重のコントロールに適した中食産業企業によるメニューをインターネット上で求めた場合、提案されるメニューは予め内容が固定されたカロリー別の一覧、またはカロリーを検索条件として検索した結果としてのメニュー一覧である。【０００３】  また、ユーザがストレスへの耐性を調整するのに効果のある中食産業企業によるメニューをインターネット上で求めた場合には、提案されるメニューはストレスへの耐性を調整するのに効果のある素材が含まれているメニューが予め内容が固定された一覧として紹介されるか、または素材を検索語として検索した結果の一覧である。
【発明の開示】
【発明が解決しようとする課題】
【０００４】  しかしながら、以上の技術によれば、体重をコントロールする目的を持ったユーザにとっては、個々人の基礎代謝に基づいて目標体重を目標期間内に達するにはどのメニューを選択してよいかわからないだけでなく、個々のユーザが朝食、昼食、夕食のうち何時一番多く食べるかという食生活のパターンおよびアレルギーの有無および食の好みのほか、ユーザの行動範囲内にある店舗で購入が可能かどうか等が考慮されていないため、提案されたメニューが役に立たないことがあった。【０００５】  また、以上の技術によれば、ストレスへの耐性を調整する目的をもったユーザにとっては、個々人のストレス耐性がその個々人の属する地域の環境要因によってどのように変化しているかがわからないため、どのメニューを選択するのが適しているのかわからないだけでなく、アレルギーの有無および食の好みのほか、ユーザの行動範囲内にある店舗で購入が可能かどうか等が考慮されていないため、提案されたメニューが役に立たないことがあった。【０００６】  そこで、この発明は、中食産業企業のメニューによって体重のコントロールを目的としているユーザに対して、メニューのカロリーのみならず、ユーザの個人属性および基礎代謝および食生活パターンおよび食への好みおよびアレルギーの有無およびユーザが購買可能な地域をメニュー選択の条件として含んだ上でユーザにとってより受け入れられやすいメニューの提案を提供することを課題とする。【０００７】  また、この発明は、中食産業企業のメニューによってストレスへの耐性を調整することを目的としているユーザに対して、メニューに含まれている食材の特性のみならず、ユーザの個人属性および食への好みおよびアレルギーの有無およびユーザが購買可能な地域、さらにユーザの住所近隣での環境の変化によるストレス耐性度への影響をメニュー選択の条件として含んだ上でユーザにとってより受け入れられやすいメニューの提案を提供することを課題とする。
【課題を解決するための手段】
【０００８】  以上の課題を解決するために、第一発明は、個々のユーザが入力した個人情報やアクセスログおよび目標体重と目標体重達成期間の分析から、ユーザの基礎代謝、および朝食、昼食、夕食のうち何時一番多く食べるかという食生活のパターン、およびアレルギーの有無、および食の好みを判別し、かつユーザの希望する期間内で体重を減らすために適しており、かつユーザの行動範囲内にある店舗で購入が可能である中食メニューをユーザごとにカスタマイズして紹介することを特徴とするシステムである。【０００９】  また、第二発明は、個々のユーザが入力した属性情報およびアクセスログの分析および気象などの環境データから、アレルギーの有無、および食の好みを判別し、更にバイオリズムによるストレス耐性、および生気象学に基づく環境変化がもたらすユーザのストレスへの耐性度合を判別し、更に栄養学的にストレス耐性を上げるのに適しており、かつユーザの行動範囲内にある店舗で購入が可能であるメニューをユーザごとにカスタマイズして紹介することを特徴とするシステムである。
【発明の効果】
【００１０】  第一発明によれば、提案されたメニューは体重のコントロールという目的を達成するために個人の身体的状況、食生活習慣、食への好み、アレルギーの有無、運動量等を勘案した上で個人にカスタマイズされたメニューが提案されるので、ユーザにとってより受け入れられやすいメニューの提案ができる【００１１】  第二発明によれば、提案されたメニューはストレスへの耐性度合の調整という目的を達成するために個人の身体的特性、食への好み、アレルギーの有無、バイオリズム、環境の変化によるストレス耐性度の変化の影響を勘案した上で個人にカスタマイズされたメニューが提案されるので、ユーザにとってより受け入れられやすいメニューの提案ができる
【発明を実施するための最良の形態】
【００１２】  以下、本発明が適用された支援システムについて、図面を参照して説明する。【００１３】  図１に示すように、支援システムは、インターネット等のネットワーク３を介して一般ユーザの体重コントロールまたはストレスへの耐性マネジメントという目的に応じて個別ユーザに適した中食産業企業のメニューの提案を行うものである。【００１４】  具体的に、本発明を適用した支援システムは、図１に示すように、各種情報を保存するデータベース１と、本システムのサービス提供者が管理するサービス支援サーバ装置２と、一般ユーザが管理するユーザ端末装置４と、本システムを用いたサービス提供者がサービス支援サーバ装置２にアクセスするための管理者端末装置５と、本システムに参加している中食産業企業が管理する会社端末装置５とを備える。【００１５】  サービス支援サーバ装置２、ユーザ端末装置４、管理者端末装置５、会社端末装置６、は、互いに、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線、ＣＡＴＶ（Ｃａｂｌｅ  Ｔｅｌｅｖｉｓｉｏｎ）回線、光ケーブル回線、ｘＤＳＬ（ｘ  Ｄｉｇｉｔａｌ  Ｓｕｂｓｃｒｉｂｅｒ  Ｌｉｎｅ）回線、ディジタル衛星放送用の衛星回線、携帯電話、無線ＬＡＮ等を用いたネットワーク３を介して接続されおり、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）、ＦＴＰ（Ｆｉｌｅ  Ｔｒａｎｓｆｅｒ  Ｐｒｏｔｏｃｏｌ）等の伝送プロトコルに従ってデータのやり取りを行うことができる。【００１６】  サービス支援サーバ装置２は、通常のコンピュータとほぼ同様な構成を有しており、ハードディスクにデータベース１が格納されていると共に、オペレーティングシステム、端末装置４〜６と通信を行うためのアプリケーションプログラム等の種々のプログラムがインストールされている。このサービス支援サーバ装置２は、本システムに登録しているユーザの属性情報やアクセス履歴や環境データ等をデータベース１に登録している。【００１７】  そして、このサービス支援サーバ装置２は、ユーザが利用するユーザ端末装置４からのアクセスに応じて、コンテンツとして、中食産業企業のメニュー等の情報をユーザ端末装置４に提供する【００１８】  図１に示すように、このサービス支援サーバ装置２にネットワーク３を介して接続されるユーザ端末装置４は、ユーザが操作する端末装置であり、例えばパーソナルコンピュータにより構成され、ブラウザ等種々のアプリケーションプログラムがインストールされている。そして、ユーザ端末装置４は、ＷＷＷ（Ｗｏｒｌｄ  Ｗｉｄｅ  Ｗｅｂ）ブラウザを実行することによりサービス支援サーバ装置２と通信を行うことができる。具体的に、ユーザ端末装置４は、ブラウザを実行することによって、サービス支援サーバ装置２又は企業のサーバ装置が開設する中食メニュー情報等に関するウェブページを閲覧することができる。【００１９】  サービス支援サーバ装置２を運営する管理者は、当該支援システムの使用契約を結んだ会社から利用料を、定額制、従量制又はこれらの組み合わせで徴収することにより利益を得る。例えば、運営者は基本料金に加えて各企業のメ���ューをユーザが見た回数に応じて請求を行う。サービス支援サーバ装置２は、例えばユーザの利用状況を管理し、これに応じて課金データを生成する。サービス支援サーバ装置２は、専用線で決済センタと接続されており、月極等所定期間単位で課金データを生成し、この課金データを決済センタに送信することによって決済処理を行う。【００２０】  図２は、サービス支援サーバ装置２の機能構成図である。この機能構成は、ハードウェア的には、コンピュータのＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ハードディスク等で実現することができ、ハードディスクにインストールされた支援機能のあるアプリケーションプログラム等によって実現される。したがって、これらの機能ブロックは、ハードウェア、ソフトウェアの組み合わせによって様々な形で実現することができる。【００２１】  サービス支援サーバ装置２は、管理者端末装置５及び会社端末装置６にて企業情報及びメニューデータ及び環境データを登録する会社側インタフェース３１と、ユーザ端末４にてユーザの個人情報の登録及びメニューの表示を行うユーザ側インタフェース３２と、各ユーザにカスタマイズしたメニューを決定するメニュー選択部２１と、各企業に対する課金データを生成する課金処理部２２と、各社の企業データおよびメニューデータが格納される会社データベース１１と、環境に関するデータが格納される環境データベース１２と、ユーザが見たページを管理するアクセスログデータベース１３と、ユーザの個人データが格納されるユーザデータベース１４とを備える。会社データベース１１、および環境データベース１２、およびアクセスログデータベース１３、およびユーザデータベース１４は、図１でデータベース１として示したものであり、ハードディスク等に格納されている。【００２２】  会社データベース１１は、企業情報が格納される会社テーブル１１１と、メニュー情報が格納されるメニューテーブル１１２とを有し、また、環境データベース１２は環境データを格納する環境テーブル１２１を有し、また、ユーザデータベース１４は、ユーザの個人データが格納されるユーザテーブル１４１有している。【００２３】  メニュー選択部２１は、ユーザのユーザ端末装置４からユーザの個人情報ＩＤの入力を受け付ける。メニュー選択部２１は、ユーザのユーザＩＤで識別されるユーザテーブル１４１をユーザデータベース１４から抽出すると共に、環境テーブル１２１を環境データテーブル１２から抽出し、アクセスログデータをアクセスログデータベース１３から抽出し、メニューテーブル１１２と、会社テーブル１１１を会社データベース１１から抽出する。【００２４】  また、メニュー選択部２１は、ユーザが現在アクセスしているページとユーザテーブル１４１に登録されているデータからユーザに提案するメニューは体重コントロールに関するものか、ストレス耐性マネジメントのためのものかを判断し、体重コントロールの場合には、ユーザの現在の体重および目標体重および目標体重達成予定日および運動量から、ユーザの基礎代謝および目標体重を目標期間内に達成するために１日にユーザが摂取できるカロリーを算出し、更にユーザの食生活パターンのデータからユーザが朝食または昼食または夕食等の食事毎にそれぞれ摂取可能なカロリーを算出し、更にこの食事毎の摂取可能カロリー以下のカロリーの中食産業企業のメニューを検索し、更にこの検索結果からユーザのアレルギーの有無を判別し、更にアクセスログデータベース１３に格納されているアクセスログからアクセス回数およびアクセス頻度の高いメニューと同じ類のメニューはユーザの好みであると判断して優先的に提案するようにし、かつ会社テーブル１１１に格納された店舗情報とユーザーテーブル１４１に格納された住所からユーザの住所近辺で購入が可能である中食産業企業のメニューを絞り込んだ上でユーザに適したメニューを決定する【００２５】  また、メニュー選択部２１は、ユーザが現在アクセスしているページとユーザテーブル１４１に登録されているデータからユーザに提案するメニューはストレス耐性マネジメントのための場合と判断した際には、ユーザテーブル１４１に入力された生年月日に基づいて算出されるバイオリズムと、環境テーブル１２１に入力した気象データおよびストレス耐性データを基にして特定の日時にユーザテーブル１４１に入力されたユーザの登録した地域におけるユーザのストレス耐性度合を算出し、更にこのユーザのストレス耐性度合に適した食材をメニューテーブル１１２から選択し、更にメニューテーブル１１２よりその食材が使用されているメニューを選択し、更にこのメニュー選択結果から、ユーザテーブル１４１に入力されたアレルギーの有無を判別し、更にアクセスログデータベース１３に格納されているアクセスログからアクセス回数およびアクセス頻度の高いメニューと同じ類のメニューはユーザの好みであると判断して優先的に提案するようにし、かつ会社テーブル１１１に格納された店舗情報とユーザテーブル１４１に格納された住所からユーザの住所近辺で購入が可能である中食産業企業のメニューを絞り込んだ上でユーザに最も適したメニューを決定する【００２６】  会社側インタフェース３１は、メニューおよび環境データの作成、削除、保存を支援するインタフェースである。企業または管理者が作成したメニュー情報は、会社データベース１１に格納される。また、企業または管理者が作成した環境データは、環境データベース１２に格納される。企業アクセスログデータベース１３は、以上のようにして作成されたメニュー紹介がユーザに表示またはクリックされたとき、その情報をログとして格納する。【００２７】  ユーザ側インタフェース３２は、メニュー選択部２１が決定したメニューをユーザ端末装置４に提供すると共に、ユーザ端末装置４からの個人データの入力を支援するユーザインタフェースである。【００２８】  なお、ユーザにより中食メニューの閲覧が行われた場合には、アクセスログデータベース１３に、ユーザによって閲覧されたメニューＩＤ、およびそのメニューが閲覧された日時を示すアクセス日時、およびそのメニューの会社ＩＤ、およびユーザＩＤが格納される。【００２９】  課金処理部２２は、定額制、従量制、またはこれらの組み合わせで会社に対する課金データを生成する。例えば、課金処理��２２は、基本料金に加えて、ユーザが閲覧した回数に応じた課金データを生成する。したがって、本システムを利用するサービス提供者は、ユーザが多くのメニューを閲覧するほど会社に対する課金データが高くなる仕組みになっている。【００３０】  ユーザテーブル１４１は、ユーザＩＤによって一意に識別され、ユーザがサービス支援サーバ装置２にアクセスするためのパスワード、氏名、性別、誕生日、電子メールアドレス、ポイント、アレルギー、住所等が格納される。【００３１】  会社テーブル１１１は、中食メニューを登録した会社の会社名、その会社のホームベージ等のＵＲＬ（Ｕｎｉｆｏｒｍ  Ｒｅｓｏｕｒｃｅ  Ｌｏｃａｔｏｒ）、会社の店舗の所在地等が格納される。【００３２】  メニューテーブル１１２には、その会社のメニュー情報として、メニュー名、使われている材料、カロリー、取り扱い店舗名、ストレス耐性度合ごとに摂取に適している食材に関するデータ等が登録されている。【００３３】  環境テーブル１２１には、全国各地の天気および気温等の気象情報データ、および生気象学等に基づく気象と人間のストレス耐性の相関性に関するストレス耐性データ等が登録されている。【００３４】  以上が支援システムの構成全般であり、以下その処理として先ず、図３を用いてサービス支援サーバ装置２にユーザがユーザ端末装置４を用いて登録するときの手順を説明する。この処理は、サービス支援サーバ装置２がユーザ端末装置４からのアクセスを検知したときに開始される。【００３５】  サービス支援サーバ装置２は、ユーザＩＤ及びパスワードの入力を促すログイン画面を、ネットワーク３を介してユーザ端末装置４に送信する（ステップＳ１）。ユーザ端末装置４のモニタに表示されるログイン画面には、ユーザＩＤ及びパスワードの入力欄、入力したユーザＩＤ等の送信を指示する送信ボタン並びに未登録ユーザであることを通知する通知ボタン等が設けられている。ユーザ端末装置４を操作するユーザは、自分が登録済みのユーザであるとき、キーボード、マウス、テンキー等の操作部を用いて、ユーザＩＤ及びパスワードを、モニタに表示されているログイン画面の入力欄に入力して送信ボタンをクリックする。自分が未登録ユーザであるとき、ユーザは、操作部を用いて、ログイン画面中の通知ボタンをクリックする。ユーザ端末装置４は、送信ボタン又は通知ボタンの何れががクリックされることにより、入力されたユーザＩＤ及びパスワード又は未登録ユーザ通知をネットワーク３を介してサービス支援サーバ装置２に送信する。【００３６】  受信待機状態にあるサービス支援サーバ装置２は、ユーザ端末装置４からのユーザＩＤ及びパスワード又は未登録ユーザ通知を受信すると、受信内容に基づいて、ユーザが登録済みのユーザであるか否かを判定する（ステップＳ２）。具体的に、サービス支援サーバ装置２は、ユーザＩＤ及びパスワードを受信したとき、データベース１に記録されているユーザプロファイルと照合して申請のあったユーザが正規のユーザであるか否かを判定する。サービス支援サーバ装置２は、ユーザＩＤ及びパスワードが正規のものではないと判定したとき（ステップＳ２のＮＧ）、ステップＳ１に戻り、アクセスのあったユーザ端末装��４に対して再度ログイン画面の送信を行う。【００３７】  サービス支援サーバ装置２は、未登録ユーザ通知をユーザ端末装置４より受信したとき（ステップＳ２のＮ）、ユーザ端末装置４を介してアクセスしたユーザが未登録ユーザであると判定し、ステップＳ３に進む。そして、サービス支援サーバ装置２は、アクセスしているユーザに対してユーザ登録を促すためユーザ登録画面をネットワーク３を介してユーザ端末装置４に送信する（ステップＳ３）。【００３８】  ユーザ端末装置４のモニタに表示されるユーザ登録画面には、ユーザが任意の文字や数字を設定できるユーザＩＤ及びパスワードを入力する入力欄の他に、氏名、性別、誕生日、買い物エリア等の入力欄及び入力したユーザＩＤ等の送信を指示する送信ボタンが設けられている。ユーザ端末装置４に表示されたユーザ登録画面の所定入力欄に対し、ユーザが操作部を用いてユーザＩＤ、パスワード、サービスコード等を入力し送信ボタンがクリックされると、ユーザ端末装置４は、ネットワーク３を介して入力されたユーザＩＤ、パスワード等の個人データをサービス支援サーバ装置２に送信する。【００３９】  サービス支援サーバ装置２は、ユーザ端末装置４からのユーザＩＤ等をユーザプロファイルとしてユーザデータベース１４のユーザテーブル１４１に格納、すなわち登録する。これにより、ユーザ端末装置４のユーザは、本システムにおいて登録済みのユーザとなる。また、サービス支援サーバ装置２は、登録済みのユーザが操作しているユーザ端末装置４に対して、ユーザ端末装置４のユーザが登録ユーザであることを示す認証情報を発行する。発行された認証情報は、ユーザ端末装置４に送信され、ユーザ端末装置４のハードディスク等に記憶される。このような認証情報の一例としては、クッキー（Ｃｏｏｋｉｅ）を用いることができる。更に、サービス支援サーバ装置２は、発行した認証情報を、ユーザのユーザプロファイルに対応付けてユーザテーブル１４１に記録する。【００４０】  なお、本システムに登録を行ったユーザは、ユーザ端末装置４より、ユーザ登録内容の追加、変更、削除や登録解除を随時行うことができる。【００４１】  ステップＳ２において、サービス支援サーバ装置２は、ユーザ端末装置４から送信されたユーザＩＤ及びパスワードを受信し、データベース２に記録されているユーザプロファイルと照合して、アクセスのあったユーザが正規ユーザであると判断したとき（ステップＳ２のＹ）、既に登録済みのユーザであると判定して、ステップＳ３の処理をスキップする。【００４２】  次に、サービス支援サーバ装置２は、ユーザプロファイルをユーザデータベース１４のユーザテーブル１４１から読み出し、これに基づいて、そのユーザ向けのメニューをユーザ端末装置４に提供する（ステップＳ４）。これらのデータをネットワーク３を介して受信したユーザ端末装置４は、モニタにサービス支援サーバ装置２から送信されたコンテンツを表示する。ユーザが操作するユーザ端末装置４は、サービス支援サーバ装置２からログアウトし（ステップＳ５）、一連の処理を終了する。なお、このサービス支援サーバ装置２は、ユーザ端末装置４がブラウザを用いてアクセスするものであるため、ユーザ端��装置４にログアウトを促さずに、タイムアウトを設けて自動的にセッションをクローズするようにしても良い。【００４３】  以下にインタフェースレベルで本システムを説明する。サービス支援サーバ装置２は、ユーザ向けのコンテンツを提供するウェブサイトを開設しており、ユーザが自分のユーザＩＤとパスワードを入力してサービス支援サーバ装置２にログインすると、ブラウザの画面にそのユーザ向けにカスタマイズされたメニューの提案が表示される。【００４４】  図４は、ユーザが操作するユーザ端末装置４のモニタに表示されるＷＷＷブラウザウィンドウ３２０１の表示例を示す。ＷＷＷブラウザウィンドウ３２０１のアドレス入力欄３２０２には、アクセスするウェブページのＵＲＬが入力されると共に、現在表示しているウェブページのＵＲＬを表示する。ここでは、ユーザは、サービス支援サーバ装置２のＵＲＬを操作部を用いて入力し、サービス支援サーバ装置２にアクセスする。ナビゲーションフレーム３２０３には、メインフレーム３２０４に表示させる情報の項目が表示される。ユーザが操作部を用いてナビゲーションフレーム３２０３に表示された項目をクリックすると、クリックされた項目の情報の見出しがメインフレーム３２０４に表示される。図４の例では、メインフレーム３２０４に中食メニューに関する最新情報を知らせるための「最新中食ニュース」に関する情報をユーザに対して提供するための「最新中食ニュース」の見出しが表示されている。【００４５】  メインフレーム３２０４に表示された情報の見出しの文字列、例えば、「Ａ会社  新サンドイッチをリリース」は、対応する情報、この例では、「新サンドイッチ情報」が記載されているページにリンクされている。なお、リンク先のページのＵＲＬは、当該サイトであるサービス支援サーバ装置２の下層ディレクトリであっても良く、また、他のサイトであっても良い。【００４６】  なお、ここで「リンク」の用語は、上述した例を用いれば、文字列  「Ａ会社  新サンドイッチをリリース」がクリックされたとき、対応する「新サンドイッチ情報」が表示されることの意味で用いている。【００４７】  中食による体重コントロール支援システムフレーム３２１４は、ブラウザウィンドウ３２０１中の例えば左下に設けられ、ダイエット進捗状況が画像等によって一目でわかるようになっている表示ボックス３２０６と、ユーザのダイエット進捗状況に応じてユーザに対して例えば「もう少し！残り１．２ｋｇ」メッセージを表示するメッセージ表示部３２０５と、現在の体重を入力するための体重入力フォーム３２０７およびデータ送信ボタン３２１３と、ダイエット支援システム登録時の情報やアクセスログ情報等に基づき、ユーザの基礎代謝および食生活のパターンおよびアレルギーの有無および食の好みに合致し、かつユーザの行動範囲内で購入が可能であり、かつユーザの体重を期間内に目標値とするために摂取すべき中食産業企業のメニューをユーザに提案するおすすめメニュー部分３２０８が設けられている。おすすめメニュー部分３２０８にはメニュー名、メニュー説明文、メニュー画像、会社名、取り扱い店舗名、価格等が表示されている。【００４８】  なお、ユーザが中食によるダイエット支援��ステムに必要な情報を登録していないときには、中食による体重コントロール支援システムフレーム３２１４には所定の登録促進メッセージが表示される。登録促進メッセージが表示されているとき、中食によるダイエット支援システムに必要な情報登録画面へとリンクされている。【００４９】  中食によるストレス耐性マネジメント支援システムフレーム３２０９は、ブラウザウィンドウ３２０１中の例えば右下に設けられ、中食によるストレス耐性マネジメント支援システム登録時の情報および生気象学に基づく環境の変化によるに基づき決定されるストレスへの耐性度合が画像等によって一目でわかるようになっている表示ボックス３２１１と、ユーザのストレス耐性状況に応じてユーザに対して例えば「本日ストレスに要注意！」メッセージを表示するメッセージ表示部３２１０と、ユーザのストレス耐性度合、およびユーザの基礎代謝、およびアレルギーの有無および食の好みに合致し、かつユーザの行動範囲内で購入が可能である中食産業企業のメニューをユーザに提案するおすすめメニュー部分３２１２が設けられている。おすすめ中食メニュー部分３２１２にはメニュー名、メニュー説明文、メニュー画像、会社名、取り扱い店舗名、価格等が表示されている。【００５０】  なお、ユーザが中食によるストレス耐性マネジメント支援システムに必要な情報を登録していないときには、中食によるストレス耐性マネジメント支援システムフレーム３２０９には所定の登録促進メッセージが表示される。登録促進メッセージが表示されているとき、中食によるストレス耐性マネジメント支援システムに必要な情報登録画面へとリンクされている。【００５１】  次に、会社端末装置６及びサービス提供者の管理者端末装置５がサービス支援サーバ装置２にアクセスして、企業情報およびメニュー情報を登録や更新、削除する処理について具体的に説明する。会社担当者は、サービス支援サーバ装置２のＵＲＬにアクセスし、パスワードやユーザ名で認証が取れた後、ユーザとメッセージ交換する各種ページにアクセス可能となる。【００５２】  図５は、ブラウザを用いてがサービス支援サーバ装置２のＵＲＬを入力してログイン画面に至り、ユーザＩＤとパスワードを入力した後に表示されるトップページ３１０１を示す【００５３】  このトップページ３１０１には、その会社で登録されているメニューが一覧表示されるメニュー一覧表示部３１０４が設けられている。このメニュー一覧表示部３１０４には、そのメニューの画像、名称、説明文、メニューに使用されている素材等がメニュー毎に表示される。【００５４】  また、このトップページ３１０１は、店舖の登録および設定変更をするために店舗情報を一覧で表示する店舗一覧表示部３１０５が設けられている。この店舖一覧表示部３１０５では、変更可能な情報として、店舗名、住所、電話番号、営業時間、取り扱いメニュー等を入力し、また変更できるようになっている。【００５５】  更に、このトップページ３１０１では、地域ごとの気象情報を入力できる気象情報入力部３１０６が設けられている。この気象情報入力部３１０６では、地域ごとに最低気温、最高気温、天気、気圧等の情報を入力できるようになっている。【００５６】  なお、���のトップページ３１０１には、メニュー一覧表示部３１０４および店舗一覧表示部３１０５および気象情報入力部３１０６で登録または更新した情報をこのメニュー画面の内容を更新または登録するための登録実行ボタン３１０３が設けられている。登録実行ボタン３１０３がクリックされることによって、会社端末装置６及び管理者端末装置５からネットワーク３を介してサービス支援サーバ装置２に送信されることになる。サービス支援サーバ装置２では、この情報を会社データベース１に格納する
【図面の簡単な説明】
【００５７】
【図１】  本発明を適用した支援システムの構成図である。
【図２】  上記図１の支援システムを構成する支援サーバ装置の機能構成図である。
【図３】  図１の支援サーバ装置に一般ユーザがユーザ端末装置を用いて登録するときの手順を説明するフローチャートである。
【図４】  図１の支援システムにおけるユーザ端末装置に表示されるＷＷＷブラウザウィンドウを説明する図である。
【図５】  管理者端末装置と、会社端末装置のモニタに表示されるトップページを説明する図である。
【符号の説明】
【００５８】  １  データベース
２  サービス支援サーバ装置
３  ネットワーク
４  ユーザ端末装置
５  管理者端末装置
６  会社端末装置
１１  会社データベース
１２  環境データベース
１３  アクセスログデータベース
１４  ユーザデータベース
２１  メニュー選択部
２２  課金集計部
３１  会社側インタフェース
３２  ユーザ側インタフェース
１１１  会社テーブル
１１２  メニューテーブル
１２１  環境テーブル
１４１  ユーザテーブル
３１０１  管理者・会社端末トップページ
３１０２  管理者・会社画面アドレス入力欄
３１０３  情報登録・更新ボタン
３１０４  登録済みメニュー一覧表示部
３１０５  店舖情報一覧表示部
３１０６  気象情報表示部
３２０１  ユーザ端末装置のモニタに表示されるＷＷＷブラウザウィンドウ
３２０２  ユーザ画面アドレス入力欄
３２０３  ナビゲーションフレーム
３２０４  メインフレーム
３２０４  メインフレーム
３２０５  ダイエット支援メッセージ表示部
３２０６  ダイエット進捗状況画像
３２０７  体重入力フォーム
３２０８  ダイエット支援おすすめメニュー表示部
３２０９  中食によるストレス耐性マネジメント支援システムフレーム
３２１０  ストレス耐性状況メッセージ
３２１１  ストレス耐性状況画像
３２１２  ストレス耐性マネジメントおすすめメニュー表示部
３２１３  体重データ送信ボタン
３２１４  中食による体重コントロール支援システムフレーム
【図１】
2006260508.tif 000003
【図２】
2006260508.tif 000004
【図３】
2006260508.tif 000005
【図４】
2006260508.tif 000006
【図５】
2006260508.tif 000007